(57)【要約】【課題】耐震構造を備えた墓誌を提供すること。【解決手段】墓誌１は、上面に凹部を設けた２個の墓誌下足３を墓誌台２の左右に載置し、２箇所の前記凹部に墓誌本体５を嵌め込んで構成される。各墓誌下足３は凹部の中央に垂直方向の貫通孔７ａを備え、墓誌台２は各墓誌下足３の貫通孔７ａと１直線になるように２個の貫通孔７ｂを備え、支持ボルト８は、貫通孔７（７ａ、７ｂ）を挿通する。支持ボルト８の下端部が墓誌台２の底面にナット締めされ、墓誌台２と２個の墓誌下足３とが連結され一体化し地震や暴風などによる墓誌下足３の倒壊を防止する。【選択図】図１
0003182947.tif 000002
【実用新案登録請求の範囲】
【請求項１】
２個の墓誌下足を墓誌台の左右に載置し、戒名等が刻字された墓誌本体を前記墓誌下足の上面に設けた凹部に嵌め込んだ墓誌であって、
前記の各墓誌下足は前記凹部の中央に垂直方向の貫通孔を備え、
前記墓誌台は前記の各墓誌下足の貫通孔と１直線になるように垂直方向の貫通孔を備え、
前記墓誌下足および墓誌台の貫通孔を挿通する支持ボルトを備え、
前記支持ボルトは上端部がナット形状になっており、下端部が前記墓誌台の底面にナット締めされていることを特徴とする墓誌。
【考案の詳細な説明】
【技術分野】
【０００１】
耐震構造を備えた墓誌に関する。
【背景技術】
【０００２】
墓誌とは、墓石の近くに据え付けられ、そのお墓に埋葬されている故人の没年月日や戒名などを記したものであり、例えば図７のような構成をとる。図７に例示する墓誌１００は、墓誌台１０１と１対の墓誌下足１０２と墓誌本体１０３からなる。墓誌台１０１の上に載置される墓誌下足１０２はセメント等を用いて墓誌台１０１に貼り付けられている。暴風や横揺れの地震によって墓誌下足１０２は転倒するおそれがある。もし墓誌下足１０２が転倒したならば、墓誌下足１０２の上に置かれている墓誌本体１０３も共に転倒し地面に落下してしまう。墓誌１００の各構成要素は石であるため重量があり、付近に墓参者がいる時など大規模地震が発生したりすると非常に危険である。
このような問題意識から、墓誌を地震や暴風等による倒壊から防ごうとするアイデアが、下記の特許文献１等に開示されている。
【０００３】
特許文献１には、耐震性の向上と共に、石碑の見栄え向上を図る「耐震性石碑」が開示されている。この耐震性石碑の支持台には、基礎に固定されたアンカー軸の垂直軸部を挿通させる挿通孔が上下方向に設けられている。石碑本体の下部に、その厚さ方向に貫通する固定空所が設けられると共に、固定空所の下端底部に、アンカー軸の垂直軸部を挿入させる縦孔が貫設されている。縦孔に挿入された垂直軸部に、ネジ固定具を螺合し締め付ける。このネジ固定された箇所は、見栄えをよくするために筒状カバーで覆い隠されている。
【０００４】
特許文献２に記載の「歌碑・墓誌等の倒壊防止金具」は、台石の上面に穿孔が穿設され、ステンレス製シャフト状の第１ジョイントを埋め込み、接着剤を注入して、強固に固着する。第１ジョイントは、下駄石の貫通孔を貫通し、固定プレートの下駄石固定孔も貫通して突き出し、雌ネジと座金により、ネジ止め固定する。誌石の下面には穿孔が穿設され、第２ジョイントのシャフト部が埋め込まれ、接着剤を注入して、これを強固に固着する。下駄石の上面凹部に嵌め込むように誌石を乗せる。第２ジョイントの先端の雄ネジが、固定プレートの誌石固定孔を貫通して突出し、雌ネジと座金により、ネジ止め固定する。
【先行技術文献】
【特許文献】
【０００５】
【特許文献１】特開２０１２−７２５７６号公報
【特許文献２】実用新案登録第３１４５３７０号公報
【考案の概要】
【考案が解決しようとする課題】
【０００６】
特許文献１に記載された発明は、新たにお墓に埋葬される故人の没年月日や戒名等の追加が必要になるときは刻字するのではなく、石碑本体に表示板を止着する。これならば、一旦据え付けた以後の石碑本体の取り外し作業は、あまり発生しない。そのため、例えば支持台と石碑本体とを、基礎に固定されたアンカー軸の垂直軸部によって連結したり、石碑本体の下部を筒状カバーで覆うなど、据付段階で強固に固定される。その代わり何らかの理由による石碑本体の取り外しは大掛かりな作業となる。例えば、従来のように墓誌本体の表面に変更を加える等の必要がある墓誌には適用できない。また、従来の墓誌に若干の加工を施して耐震補強をする目的にも利用できない。
【０００７】
特許文献２に記載された発明は、第１ジョイントにより台石と下駄石を固定しているが、第１ジョイントの下端部は台石の上面に穿設された穿孔に注入された接着剤によって固着されている。したがって、墓誌の移設などのために石ごとに分解する作業が必要となったときに容易に分解ができない。
また固定プレートが誌石の重みに耐えられず変形したりすると、第１ジョイントの上端部のネジが緩むおそれもある。したがって、耐震性能が十分とは言い切れない。
【０００８】
このような問題点に鑑み、本考案は、据付も分解も容易であるとともに、既存の石に若干の加工を施すだけで耐震補強ができる墓誌の提供を目的とする。
【課題を解決するための手段】
【０００９】
上記の目的を実現するために、請求項１に係る考案は、 
２個の墓誌下足を墓誌台の左右に載置し、戒名等が刻字された墓誌本体を前記墓誌下足の上面に設けた凹部に嵌め込んだ墓誌であって、
前記の各墓誌下足は前記凹部の中央に垂直方向の貫通孔を備え、
前記墓誌台は前記の各墓誌下足の貫通孔と１直線になるように垂直方向の貫通孔を備え、
前記墓誌下足および墓誌台の貫通孔を挿通する支持ボルトを備え、
前記支持ボルトは上端部がナット形状になっており、下端部が前記墓誌台の底面にナット締めされていることを特徴とする。
【００１０】
この墓誌は、従来の墓誌の墓誌下足と墓誌台に貫通孔を設け、支持ボルトをこの貫通孔に挿通しナット締めするだけで耐震性を具備することができる。したがって部品点数が少なく、加工や据付作業の手間も少なく安価に耐震性を備えた墓誌を提供できる。
墓誌台から墓誌下足が転倒することを防止できるので、墓誌下足の凹部にはめ込まれた墓誌本体が転倒し落下することも防止できる。墓誌本体は支持ボルトを挿通させることなく従来と同様に墓誌下足の凹部に嵌め込んでいる。そのため、従来どおり墓誌本体を墓誌下足から簡単に取外すことができ、新たな埋葬者のために刻字などの変更作業が必要となったときも、墓誌全体の分解などが不要であって簡単に作業ができる。
なお、墓誌と同様の形状の石碑や歌碑にも本考案は適用できる。
【考案の効果】
【００１１】
本考案の墓誌は、従来の墓誌に比較的軽微な加工を加え、従来の墓誌の据付作業に若干の手間を加えることにより、容易に耐震機能を具備することができる。
加工も据付も容易なので、短期間に納品でき、コストも安く抑えることができる。そのうえ、従来の墓誌と比較して費用が跳ね上がることはない。
また、設置済みの墓誌でも、若干の修正・加工を施すことにより、本考案の新規の墓誌と同様の耐震性を備えた墓誌にすることができる。
【図面の簡単な説明】
【００１２】
【図１】実施形態の墓誌の正面図である。
【図２】実施形態の墓誌の平面図である。
【図３】実施形態の墓誌の左側面図である。
【図４】（ａ）は実施形態の墓誌下足の平面図であり、（ｂ）は実施形態の墓誌下足の側面図である。
【図５】実施形態の墓誌台の平面図である。
【図６】図１の破線で囲まれた部分の拡大断面図である。
【図７】従来の墓誌の正面図である。
【考案を実施するための形態】
【００１３】
本考案の一実施の形態の墓誌１について、図１の正面図、図２の平面図、図３の左側面図を参照しながら説明する。墓誌１は、基礎（図示せず）にモルタル等で固定される墓誌台２と、この墓誌台２の左右に載置される１対の墓誌下足３と、この墓誌下足３の上面凹部４上に嵌め込まれる墓誌本体５とから構成される。
【００１４】
図４に示すように、墓誌下足３の上部に設けた上面凹部４のほぼ中央に底面が平らな凹穴６を設ける。凹穴６の径はソケットレンチなどの工具を挿入できる程度でよい。この凹穴６の底面から墓誌下足３の下面まで垂直方向に貫く貫通孔７ａを設ける。貫通孔７ａは二つ設けられることになる。
墓誌台２には、図５に示すように墓誌下足３が載置される位置に垂直方向の貫通孔７ｂを設ける。貫通孔７ｂは二つ設けられることになる。貫通孔７（７ａ、７ｂ）は、挿通される支持ボルト８の径よりも遊びを考慮して大きな径とする。
【００１５】
墓誌１の現場での据付作業は次のように行う。
先ず墓誌１を構成する各石を据付現場に搬入する。
次に貫通孔７（７ａ、７ｂ）に支持ボルト８を挿通し、墓誌台２と墓誌下足３を一体化する手順について図６を参照しながら説明する。
先ず、墓誌台２の上に墓誌下足３を積み上げる。このとき、貫通孔７ａと貫通孔７ｂとが一直線状になるようにする。
墓誌下足３に設けられた凹穴６から貫通孔７ａに支持ボルト８を挿通する。支持ボルト８は、頭部９がナット形状になっているナット付きボルトである。凹穴６の底面６ａと支持ボルト８の頭部９の間には座金１０とスプリング１１を挿入する。さらに支持ボルト８を墓誌台２に穿設した貫通孔７ｂに挿通する。墓誌台２の底面から突き出ている支持ボルト８の下端部に座金１２とスプリング１３を挿入してからナット１４で締め付けて墓誌下足３と墓誌台２とを連結し一体化する。この作業を左右２個の墓誌下足３のそれぞれについて行う。
このように、墓誌台２と墓誌下足３が連結一体化されることによって、縦揺れによる浮き上がりや、横揺れや暴風などによる倒壊を抑制できる。
なお、墓誌１は屋外にあって雨や雪にさらされ石と石の間に雨水が浸入するので、支持ボルト８は錆びにくく且つ強度のあるステンレスなどの金属製が望ましい。
【００１６】
基礎の上にモルタルを塗布し、乾燥しないうちに墓誌下足３と一体化された墓誌台２を載せる。モルタルが乾燥すると墓誌台２は基礎に固定される。支持ボルト８の下端部およびナット１４などはモルタルに埋設された状態となる。
支持ボルト８のナット形状の頭部９、スプリング１１、座金１０は墓誌下足３の凹部４に穿設した凹穴６内に収容され、下端部は基礎のモルタルに埋め込まれているので、耐震のための支持ボルト８や座金（１０，１２）、スプリング（１１，１３）、ナット（９，１４）は外部から見えるおそれがない。つまり、墓誌１は従来の墓誌（図７参照）と外観はまったく異なるところがなく見栄えが損なわれていない。
【００１７】
１対の墓誌下足３の凹部４に墓誌本体５を嵌め込む。図６において、墓誌下足３と墓誌本体５の接触部は凹部４の底面４ａである。
凹部４の幅は、墓誌本体５の厚みよりも若干大きくとる。例えば、墓誌本体５の厚みが９６ｍｍとすると、凹部４の幅は１００ｍｍくらいにする。凹部４と墓誌本体５の間に生じる数ミリの隙間１５に断面が三角形状の楔１６を墓誌本体５の裏側において打ち込み、墓誌本体５を墓誌下足３に固定する。墓誌下足３には上記のとおり倒壊防止の処理が施されているので、墓誌本体５が倒壊するおそれも大幅に低減される。
なお、楔１６の材質は、大量生産可能で腐りにくく耐久性があるプラスチック等が好ましい。
【００１８】
以上で、墓誌１は現場に据え付けられた。従来の墓誌の据付作業に比べ、支持ボルト８を貫通孔７（７ａ、７ｂ）に挿通する、および支持ボルト８の下端部をナット１４で締めるという手間が追加されただけである。
【００１９】
次に、墓誌１の変更作業について説明する。
墓誌本体５へ文字の追加等が必要になったときは楔１６を取り外して墓誌本体５を墓誌下足３から持ち上げて外し、墓誌本体５だけを工場などへ運んで作業をすればよい。これは従来の墓誌と同様である。このように、本実施形態の墓誌１は、従来の墓誌１００に耐震機能が付加されているが、刻字等のための作業は従来と全く変わりがない。
墓誌１の移設が必要になったときは、まず墓誌本体５を墓誌下足３の凹部４から取外す。次に墓誌台２をモルタルから剥がし、ナット１４を緩め、ナット１４と座金１２とスプリング１３を外し、支持ボルト８を貫通孔７（７ａ、７ｂ）から抜くと、墓誌１を構成する各石に簡単に分解できる。あるいは、ナット形状の頭部９を緩めて支持ボルト８を貫通孔７（７ａ、７ｂ）から抜き、墓誌下足３を取外した後、墓誌台２をモルタルから剥がしてもよい。
このように墓誌１は、現場で据付けたり、各石に分解したりが容易にできるので、搬送の面からも利便性が高い。
【００２０】
さらに、図７に例示するような従来の墓誌１００を分解して墓誌下足１０２と墓誌台１０１に垂直方向の孔を穿ち、支持ボルトを墓誌下足から墓誌台まで挿通すれば、既存の墓誌を耐震補強できる。既存の石をそのまま使用でき、作業が簡単で、追加される部品点数も少ないため、費用を低く抑えることができる。
【産業上の利用可能性】
【００２１】
本考案の墓誌は、特に地震の多い地方での新規需要および改造工事が期待できる。
【符号の説明】
【００２２】
１：墓誌、２：墓誌台、３：墓誌下足、４：（墓誌下足の）凹部、
５：墓誌本体、６：（墓誌下足の）凹穴、７（７ａ，７ｂ）：貫通孔、
８：支持ボルト、９：支持ボルトの頭部、１０：座金、１１：スプリング、
１２：座金、１３：スプリング、１４：ナット、
１５：（凹部と墓誌本体との）隙間、１６：楔
【図１】
0003182947.tif 000003
【図２】
0003182947.tif 000004
【図３】
0003182947.tif 000005
【図４】
0003182947.tif 000006
【図５】
0003182947.tif 000007
【図６】
0003182947.tif 000008
【図７】
0003182947.tif 000009